(57)【特許請求の範囲】
【請求項１】
表面シートと裏面シートとの間に吸収体が介在された本体部分の肌当接面側に非肌当接面側に向けて窪む圧搾溝が形成された吸収性物品において、
前記圧搾溝は、体液排出部位に対応する領域の両側部にそれぞれ吸収性物品の長手方向に沿って連続して形成されるとともに、周囲が該圧搾溝で囲まれた平面形状が円形の非圧搾部が吸収性物品の長手方向に沿って複数配置されるパターンで形成され、少なくとも体液排出部位に対応する領域には形成されておらず、
前記非圧搾部の大きさは、長手方向中央部で小さく、長手方向両端に向けてそれぞれ漸次大きくなるように形成されるか、長手方向中央部で大きく、長手方向両端に向けてそれぞれ漸次小さくなるように形成されていることを特徴とする吸収性物品。
【請求項２】
前記圧搾溝が形成される領域と重ならない領域に、第２の圧搾溝が形成されている請求項１記載の吸収性物品。
【発明の詳細な説明】
【技術分野】
【０００１】
本発明は、経血やおりもの、尿などを吸収するための生理用ナプキン、パンティライナー、失禁パッド、使い捨ておむつ等の吸収性物品に係り、詳しくは肌当接面側の両側部に圧搾溝が形成された吸収性物品に関する。
【背景技術】
【０００２】
従来より、前記吸収性物品として、ポリエチレンシートまたはポリエチレンシートラミネート不織布などの不透液性裏面シートと、不織布または透液性プラスチックシートなどの透液性表面シートとの間に吸収体を介在したものが知られている。
【０００３】
この種の吸収性物品にも幾多の改良が重ねられ、装着時に身体にフィットしてヨレるのを防止することなどを目的として、肌当接面側に種々のパターンで圧搾溝を形成したものが数多く提案されている。ところが、例えば経血をショーツに付着させないためパンティライナーや生理用ナプキンを生理前から着用している場合や、生理終盤の排血量が少ないときにナプキンを取り換えずに着用したままにしている場合など、生理用ナプキンやパンティライナーを長時間着用し続けた場合、身体の動き、特に脚の動きによって吸収性物品にヨレが発生することがあり、このヨレた部分から漏れが生じたり、ヨレた部分が違和感につながったりする問題があった。
【０００４】
このような装着時のヨレを防止することなどを目的として、下記特許文献１においては、身体側に位置する内面シートに、身体側と反対側に位置する外面シートに向かい、縦方向および横方向にそれぞれ交差するように延び、格子模様を形成している複数の圧搾条溝が形成されたものが開示されている。
【０００５】
また、下記特許文献２においては、表面シートと吸収体が重なる部位に、表面シートと吸収体を厚さ方向に圧搾して形成した縦長の環状圧搾条溝と、環状圧搾条溝で囲まれる領域内の縦方向両端部に位置し、表面シートと吸収体とを厚さ方向に圧搾して形成した低圧搾凹部を有する低圧搾域とを備えたものが開示されている。
【０００６】
更に、下記特許文献３においては、吸収性コアが位置する領域の上面両側にその長さ方向へ延びるとともにその中央部において間隔が狭くなった一対の圧搾条溝を有し、前記圧搾条溝が、その底面の長さ方向へ交互に並列する高圧搾部と低圧搾部とを有する生理用ナプキンが開示されている。
【先行技術文献】
【特許文献】
【０００７】
【特許文献１】特開２０１１−２００３３７号公報
【特許文献２】特開２０１４−９７１３２号公報
【特許文献３】特開平９−１０８２６２号公報
【発明の概要】
【発明が解決しようとする課題】
【０００８】
上記特許文献１では、前記圧搾条溝が形成された部分で、溶着部によって内外面シートが接合されているから、芯材の移動が妨げられ、パンティライナーの着用時において、芯材が外面シートに対して移動し、よれるのが防止できることが記載されているが、前記圧搾条溝が内面シートのほぼ全域に形成されているため、製品全体の肌当接面が硬くなり、特に体液排出部位に前記圧搾条溝が当接すると装着時の違和感につながるおそれがあった。
【０００９】
また、上記特許文献２では、前記環状圧搾条溝及び低圧搾凹部を設けることによって、装着時において、中央部を使用者側に盛り上げ、漏れを軽減させるとともに、装着時に使用者の両脚から内側に向けて横方向の力が加えられたときの縦方向に平行なシワが入ることを抑制し、製品の不規則な変形を防止する結果、使用感の向上や漏れの防止を図ることができるなどの効果が記載されている。ところが、身体の動きによって任意の方向に入るシワに対しては十分に対応できないおそれがあった。
【００１０】
更に、上記特許文献３では、前記圧搾条溝を設けることにより、ナプキンの女性局部への適合密着性が向上することが記載されているが、前記圧搾条溝に沿って一定の形態に変形するだけで、装着時に多方向から複雑な脚圧が加わった場合には、十分に対応できないおそれがあった。
【００１１】
そこで本発明の主たる課題は、多方向からの脚圧に対応してヨレが防止できるとともに、装着感に優れた吸収性物品を提供することにある。
【課題を解決するための手段】
【００１２】
上記課題を解決するために請求項１に係る本発明として、表面シートと裏面シートとの間に吸収体が介在された本体部分の肌当接面側に非肌当接面側に向けて窪む圧搾溝が形成された吸収性物品において、
前記圧搾溝は、体液排出部位に対応する領域の両側部にそれぞれ吸収性物品の長手方向に沿って連続して形成されるとともに、周囲が該圧搾溝で囲まれた平面形状が円形の非圧搾部が吸収性物品の長手方向に沿って複数配置されるパターンで形成され、少なくとも体液排出部位に対応する領域には形成されておらず、
前記非圧搾部の大きさは、長手方向中央部で小さく、長手方向両端に向けてそれぞれ漸次大きくなるように形成されるか、長手方向中央部で大きく、長手方向両端に向けてそれぞれ漸次小さくなるように形成されていることを特徴とする吸収性物品が提供される。
【００１３】
上記請求項１記載の発明では、前記圧搾溝が、体液排出部位に対応する領域の両側部にそれぞれ吸収性物品の長手方向に沿って連続して形成されるとともに、周囲が該圧搾溝で囲まれた平面形状が円形の非圧搾部が吸収性物品の長手方向に沿って複数配置されるパターンで形成されているため、装着時に幅方向両側から内側に向かう脚圧が作用したとき、前記圧搾溝で周囲を囲まれた非圧搾部が複数存在することで、一方向だけでなく多方向からの脚圧にも対抗できるようになり、吸収性物品のヨレが確実に防止できるとともに、圧搾溝のパターンに沿ったヨレも防止できるようになる。
【００１４】
また、前記圧搾溝は、体液排出部位に対応する領域の両側部に形成され、体液排出部位に対応する領域には形成されないため、装着時に圧密化して高剛性化した圧搾溝が体液排出部位に接触することによる違和感が生じなくなり、装着感に優れるようになる。
【００１５】
前記非圧搾部の平面形状として、特に円形としているため、脚圧に対する抵抗力の方向性を持たず、非圧搾部の外形線に角部や曲率の急変部が形成されないため、ヨレの発生が確実に抑えられるようになるので望ましい。
【００１６】
さらに本発明では、前記非圧搾部を一定の大きさで形成するのではなく、長手方向中央部で小さく、長手方向両端に向けてそれぞれ漸次大きくしたパターン、又は長手方向中央部で大きく、長手方向両端に向けてそれぞれ漸次小さくしたパターンのいずれかとしている。前者の場合には、股間部での違和感が軽減でき、後者の場合には、股間部での脚圧に対する抵抗を上げることができるようになる。
【００１７】
請求項２に係る本発明として、前記圧搾溝が形成される領域と重ならない領域に、第２の圧搾溝が形成されている請求項１記載の吸収性物品が提供される。
【００１８】
上記請求項２記載の発明では、前記圧搾溝が形成される領域と重ならない領域に、第２の圧搾溝を形成することによって、脚圧によるヨレが発生しやすい部分を補強している。前記第２の圧搾溝は、上述の圧搾溝で囲まれた非圧搾部が複数配置されるパターンで形成してもよいし、単なる線状に形成してもよい。
【発明の効果】
【００１９】
以上詳説のとおり本発明によれば、多方向からの脚圧に対応してヨレが防止できるとともに、装着感に優れた吸収性物品が提供できるようになる。
【図面の簡単な説明】
【００２０】
【図１】本発明に係る生理用ナプキン１の一部破断展開図である。
【図２】図１のII−II線矢視図である。
【図３】圧搾溝１０の拡大平面図である。
【図４】装着時に作用する脚圧を示す生理用ナプキン１の平面図である。
【図５】従来の生理用ナプキンの装着時のヨレを示す平面図である。
【図６】圧搾溝１０の変形例（その１）を示す、生理用ナプキン１の平面図である。
【図７】圧搾溝１０の変形例（その２）を示す、生理用ナプキン１の平面図である。
【図８】圧搾溝１０の変形例（その３）を示す、生理用ナプキン１の平面図である。
【図９】第２の圧搾溝１２の配置領域を示す、生理用ナプキン１の平面図である。
【発明を実施するための形態】
【００２１】
以下、本発明の実施の形態について図面を参照しながら詳述する。
【００２２】
〔生理用ナプキン１の基本構成〕
本発明に係る生理用ナプキン１は、図１及び図２に示されるように、ポリエチレンシートなどからなる不透液性裏面シート２と、経血やおりものなどを速やかに透過させる透液性表面シート３と、これら両シート２，３間に介装された綿状パルプ又は合成パルプ及び高吸水性樹脂を主成分とする吸収体４と、必要に応じて、前記吸収体４の形状保持および拡散性向上のために、前記吸収体４を囲繞する被包シート５とから主に構成されている。また、必要に応じて、前記透液性表面シート３と吸収体４との間に、親水性のセカンドシートを配設することができる。
【００２３】
以下、さらに前記生理用ナプキン１の構造について詳述すると、
前記不透液性裏面シート２は、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とで不透液性裏面シートを構成する。）などを用いることができる。近年はムレ防止の観点から透湿性を有するものが用いられる傾向にある。この遮水・透湿性シート材は、ポリエチレンやポリプロピレン等のオレフィン系樹脂中に無機充填剤を溶融混練してシートを成形した後、一軸または二軸方向に延伸することにより得られる微多孔性シートである。
【００２４】
次いで、前記透液性表面シート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、エアスルー法、エアレイド法、スパンレース法、スパンボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高で圧縮復元性が高い点で優れている。
【００２５】
前記不透液性裏面シート２と透液性表面シート３との間に介在される吸収体４は、たとえばフラッフ状パルプと吸水性ポリマーとにより構成されている。図示例では平面形状がナプキン長手方向に長い縦長の略小判形とされている。
【００２６】
前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。前記パルプの目付は、１００ｇ／ｍ２〜６００ｇ／ｍ２、好ましくは１００ｇ／ｍ２〜３００ｇ／ｍ２とするのがよい。
【００２７】
前記吸水性ポリマーは吸収体を構成するパルプ中に、例えば粒状粉として混入されている。前記高吸水性ポリマーとしては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられる。これらの内、吸水量、吸水速度に優れるアクリル酸またはアクリル酸塩系のものが好適である。前記吸水性能を有する高吸水性樹脂は製造プロセスにおいて、架橋密度および架橋密度勾配を調整することにより吸収倍率（吸水力）と吸収速度の調整が可能である。
【００２８】
また、前記吸収体４に合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイド−バイ−サイド型繊維、分割型繊維などの複合繊維も用いることができる。前記合成繊維は、体液に対する親和性を有するように、疎水性繊維の場合には親水化剤によって表面処理したものを用いるのが望ましい。
【００２９】
前記吸収体４の幅寸法は、全長に亘って略等幅としてもよいし、股間部への当たりによって着用者にゴワ付き感を与えないように、体液排出部位Ｈを含む股間部に対応する長手方向の所定区間に円弧状に切り欠いた部分を設けてもよい。
【００３０】
本例のように、吸収体４を囲繞する被包シート５を設ける場合には、結果的に透液性表面シート３と吸収体４との間に被包シート５が介在することになり、吸収性に優れる前記被包シート５によって体液を速やかに拡散させるとともに、これら経血等の逆戻りを防止するようになる。前記被包シート５としては、クレープ紙又は親水性不織布などを用いることができる。
【００３１】
〔圧搾溝１０〕
本生理用ナプキン１は、前記透液性表面シート３と不透液性裏面シート２との間に吸収体４が介在された本体部分の所定の領域に、肌当接面側（透液性表面シート３の外面側）からの圧搾により非肌当接面側（不透液性裏面シート２側）に向けて窪む圧搾溝１０が所定のパターンで付与されたものである。
【００３２】
前記圧搾溝１０は、体液排出部位の両側部にそれぞれ生理用ナプキン１の長手方向に沿って連続して形成されるとともに、周囲が該圧搾溝１０で囲まれた非圧搾部１１が生理用ナプキン１の長手方向に沿って複数配置されるパターンで形成されている。
【００３３】
前記圧搾溝１０は、図２に示されるように、透液性表面シート３の外面側からの圧搾により、透液性表面シート３から吸収体４にかけて一体的に圧縮することにより形成したものである。前記圧搾溝１０は、図１に示されるように、生理用ナプキン１の幅方向に対しては着用者の体液排出部位Ｈに対応する領域より幅方向外側に形成されるとともに、生理用ナプキン１の長手方向に対しては少なくとも着用者の体液排出部位Ｈを含む前側から後側にかけて、図示例では吸収体４のほぼ全長に亘って形成されている。前記圧搾溝１０は、幅方向両側のそれぞれで、途中で分断することなく連続して形成されている。
【００３４】
前記圧搾溝１０は、図３に示されるように、任意の非圧搾部１１の周囲を囲む圧搾溝１０と、これに隣接する非圧搾部１１の周囲を囲む圧搾溝１０とが、直接連結するように配置され、これらの圧搾溝１０、１０同士を繋ぐ別の圧搾溝が介在しないパターンで形成されている。すなわち、隣り合う非圧搾部１１、１１をそれぞれ囲む圧搾溝１０、１０の一部が共通するように配置されている。仮に、隣り合う非圧搾部１１、１１をそれぞれ囲む圧搾溝１０、１０の間を別の線状などの圧搾溝で繋いだ場合には、この繋いだ圧搾溝部分で脚圧に対する抵抗力が低減し、この部分を基点としたヨレが発生しやすくなるため好ましくない。
【００３５】
生理用ナプキン１の肌当接面において、前記非圧搾部１１は、全周が前記圧搾溝１０で囲まれることによって、周囲が窪んだ島状を成している。前記非圧搾部１１は、透液性表面シート３の外面側からの圧搾により圧密化して高剛性化した圧搾溝１０で周囲が囲まれることによって、非圧搾部１１全体が強化されて外力に対する抵抗力が増している。
【００３６】
前記非圧搾部１１は、生理用ナプキン１の長手方向に対し、一直線上に整列するように配置してもよいし（図１及び図６(A)〜(D)など）、幅方向に対し交互に位置ズレさせたジグザグ状に配置してもよいし（図６(E)及び図７(B)）、長手方向の一部又は全部が幅方向の内側又は外側に膨出するように配置してもよい（図９(B)〜(D)）。
【００３７】
一方、前記圧搾溝１０は、少なくとも体液排出部位Ｈに対応する領域には形成されていない。体液排出部位Ｈに対応する領域とは、装着時に着用者の体液排出部位Ｈが当接する領域であって、生理用ナプキン１の幅方向中央部で、かつ長手方向中間部の領域である。具体的には、生理用ナプキン１の幅方向に対して２０〜５０ｍｍの範囲、長手方向に対しては５０〜１００ｍｍの範囲とするのがよい。
【００３８】
このように、前記圧搾溝１０を体液排出部位Ｈに対応する領域の両側部にそれぞれ生理用ナプキン１の長手方向に沿って連続して形成するとともに、周囲が前記圧搾溝１０で囲まれた非圧搾部１１が生理用ナプキン１の長手方向に沿って複数配置されるパターンで形成することによって、図４に示されるように、装着時に幅方向両側から内側に向かう脚圧が作用したとき、前記圧搾溝１０で周囲を囲まれた非圧搾部１１が複数存在することで、一方向だけでなく多方向からの脚圧にも対抗できるようになり、生理用ナプキン１のヨレが確実に防止できるとともに、圧搾溝１０のパターンに沿ったヨレも防止できるようになる。
【００３９】
装着時の脚圧によるヨレについて更に詳細に説明すると、図４に示されるように、装着時の生理用ナプキン１には、基本的に幅方向両側から内側に向かう脚圧が作用しているが、歩行や着用者の姿勢など脚の動きや位置などによって、実際に作用する方向は常に一定ではなくランダムに変化している。従って、このランダムな方向からの脚圧に対応できないと、図５に示されるようなヨレが発生し、このヨレた部分からの漏れやヨレた部分による装着感の悪化が懸念される。図５(A)は、圧搾溝を設けない従来の生理用ナプキンを装着して歩行した場合のヨレの発生状況を示したものである。圧搾溝がないと、特に股間部において、生理用ナプキンの幅方向に横断するようなヨレや細かいヨレが多数発生する。また、同図５(B)は、上記特許文献３に記載されるように、ナプキン長手方向に沿う線状の圧搾溝の底面に、溝方向に沿って高圧搾部と低圧搾部とが交互に形成された従来の生理用ナプキンを装着して歩行した場合のヨレの発生状況を示したものである。かかる圧搾溝では、前記高圧搾部又は低圧搾部を基点として小さなヨレが発生する。これに対して、本生理用ナプキン１では、図４に示されるように、周囲の圧搾溝１０によって増強された非圧搾部１１が長手方向に沿って複数配置されているため、前記非圧搾部１１がランダムな方向からの脚圧に対応して抵抗力が発揮でき、生理用ナプキン１にヨレが発生するのが防止できるようになる。
【００４０】
また、前記圧搾溝１０は、体液排出部位Ｈに対応する領域の両側部に配置され、少なくとも体液排出部位Ｈに対応する領域には形成されていないため、圧搾により圧密化して高剛性化した前記圧搾溝１０が着用者の体液排出部位に接触することによる違和感が生じなくなり、装着感に優れるようになる。
【００４１】
次に、前記非圧搾部１１の大きさについて説明すると、図１及び図３に示されるように、ナプキン幅方向の寸法ａは、吸収体４の幅Ｗに対して１〜３０％、好ましくは１０〜２０％とするのがよい。前記寸法ａが吸収体幅Ｗの１％未満では、非圧搾部１１が小さすぎて脚圧に対する抵抗力が発揮できない。また、前記寸法ａが吸収体幅Ｗの３０％より大きいと、非圧搾部１１が大きすぎて前記圧搾溝１０による増強効果が低減し、脚圧に対する抵抗力が低下する場合があるとともに、非圧搾部１１が大きくなりすぎて非圧搾部１１自体にヨレが発生するおそれがあり、かつ非圧搾部１１を囲む圧搾溝１０が着用者の体液排出部位に当接して違和感を生じさせる可能性がある。
【００４２】
また、ナプキン長手方向の寸法ｂは、前記ナプキン幅方向の寸法ａとほぼ同等とするのが好ましい。非圧搾部１１をナプキン幅方向及び長手方向にほぼ同等な大きさで形成することにより、多方向からの脚圧に対する抵抗力が均等に作用しやすくなり、ヨレの発生が抑えられるようになる。例えば、吸収体４の幅Ｗが５０ｍｍの場合、非圧搾部１１の大きさ（ａ、ｂ）は、０．５ｍｍ〜１５ｍｍ、好ましくは１ｍｍ〜１０ｍｍとするのがよい。
【００４３】
前記非圧搾部１１は、生理用ナプキン１の長手方向に沿って６〜４５個、好ましくは１０〜４５個程度配置するのが好ましい。この非圧搾部１１の数は、非圧搾部１１の大きさによって異なり、非圧搾部１１を小さくすれば配置する数が多くなり、非圧搾部１１を大きくすれば配置する数が少なくなる。非圧搾部１１の大きさを小さくすることで、脚圧に対して細かな対応が可能になるとともに、装着時の違和感が軽減できるようになる。
【００４４】
次いで前記吸収体４に対する圧搾溝１０の位置について説明する。図１に示されるように、吸収体４の側縁と圧搾溝１０の幅方向外側端とのナプキン幅方向に沿った離間距離ｃは、吸収体４の幅Ｗに対して１〜２０％、好ましくは５〜２０％とするのがよい。この離間距離ｃが吸収体幅Ｗの１％未満では、圧搾溝１０が吸収体４の側縁と近接しすぎて、圧搾溝１０により硬化した部分が直接肌に接触するおそれがあるため好ましくない。一方、前記離間距離ｃが吸収体幅Ｗに対して２０％より大きいと、圧搾溝１０が吸収体４の内側にいきすぎて、脚圧に対する抵抗力が発揮されなくなるおそれがある。
【００４５】
また、前記吸収体４の長手方向端縁と、圧搾溝１０のナプキン長手方向端部とのナプキン長手方向に沿った離間距離ｄとしては、吸収体４の長さＬに対して１〜３０％、好ましくは３〜２０％とするのがよい。この離間距離ｄが吸収体長さＬの１％より小さいと、圧搾溝１０が吸収体４の長手方向端縁に近接しすぎて、圧搾溝１０の硬化した部分が直接腹部や臀部に当たるおそれがあるため好ましくない。一方、前記離間距離ｄが吸収体長さＬの３０％より大きいと、圧搾溝１０が形成される範囲が短すぎて、体液排出部位Ｈの両側部にかからなくなるおそれがあるため好ましくない。
【００４６】
前記圧搾溝１０は、溝幅（溝底面の幅）が１〜５ｍｍとするのが好ましい。また、溝深さは、吸収体４の厚みの２０〜９０％とするのが好ましい。
【００４７】
前記圧搾溝１０は、前記非圧搾部１１が吸収体４の両側部にそれぞれ長手方向に沿って、１列以上、好ましくは１列〜３列配列されるパターンで形成するのが好ましい。前記非圧搾部１１を吸収体４の各側部に多列で配置する場合、隣り合う列同士の圧搾溝１０は、連結しているのが好ましい。
【００４８】
前記非圧搾部１１の平面形状は、図１に示されるように、円形とするのが望ましい。非圧搾部１１を円形とすることにより、脚圧に対する抵抗力の方向性を持たず、非圧搾部１１の外形線に角部や曲率の急変部が形成されないため、特にヨレの発生が抑えられるようになる。また、前記非圧搾部１１は、図６に示されるように、任意の平面形状で形成することができる。例えば、(A)完全な円形でなく１／２波長ずらした２本の波状線を重ね合わせて形成されるほぼ円形、(B)菱形、(C)三角形、(D)四角形、(E)ハート形などを挙げることができる。この他にも、周囲が圧搾溝１０で囲まれたパターンであれば、楕円形、多角形、星形、花形など任意の平面形状を採用することができる。
【００４９】
また、前記非圧搾部１１は、図７に示されるように、生理用ナプキン１の幅方向外側及び内側のいずれか一方又は両方に突出するとともに、突出した幅方向の反対側が長手方向に沿う線状に形成されたパターンとすることも可能である。この場合、幅方向外側からの脚圧に対する抵抗力を確実に上げるため、幅方向外側に突出するパターンを含むのが好ましい。つまり、同図７(A)の幅方向外側のみに突出するパターン、(B)の幅方向外側に突出する部分と幅方向内側に突出する部分とが長手方向に沿って交互に形成されたジグザグ状のパターンとするのが好ましい。
【００５０】
また、前記非圧搾部１１の大きさは、一定である必要はなく、図８に示されるように、生理用ナプキン１の長手方向に沿って変化させてもよい。同図８(A)では長手方向中央部で小さく、長手方向両端に向けてそれぞれ漸次大きくなるように形成している。これによって、生理用ナプキン１の装着時に、脚の付け根の内側部分によく当たる長手方向の中央部で、脚圧に対する抵抗力が小さくなり、違和感が軽減できる。また、同図８(B)では長手方向中央部で大きく、長手方向両端に向けてそれぞれ漸次小さくなるように形成している。これによって、生理用ナプキン１の装着時に、脚の付け根の内側部分によく当たる長手方向の中央部で、脚圧に対する抵抗力を上げることができるようになる。
【００５１】
また、前記生理用ナプキン１の変形例として、図９に示されるように、前記圧搾溝１０が形成される領域と重ならない領域に、第２の圧搾溝１２を形成してもよい。図９では、前記第２の圧搾溝１２を形成する範囲を斜線領域で示している。前記第２の圧搾溝１２を形成する位置は、前記圧搾溝１０の配置パターンによって異なるが、脚圧によるヨレが発生しやすい位置とするのが好ましい。前記第２の圧搾溝１２を形成することによって、前記圧搾溝１０による抵抗力を補強することができ、より確実に生理用ナプキン１のヨレが防止できるようになる。前記第２の圧搾溝１２は、前記圧搾溝１０と同様に、周囲が該圧搾溝１２で囲まれた非圧搾部が複数配置されるパターンで形成してもよいし、単なる線状の圧搾溝としてもよい。また、前記第２の圧搾溝１２は、前記圧搾溝１０と同様に、透液性表面シート３の外面側からの圧搾により、透液性表面シート３から吸収体４を一体的に圧縮して形成したものでもよいし、吸収体４の前記透液性表面シート３配設側又は吸収体４を囲繞する被包シート５の前記透液性表面シート３配設側からの圧搾により形成したものでもよい。
【００５２】
具体的には、図９(A)に示されるように、前記非圧搾部１１が長手方向に一直線上に整列するように前記圧搾溝１０を形成した場合、前記第２の圧搾溝１２は、圧搾溝１０、１０間の長手方向両端部にそれぞれ幅方向に沿って配置するのが好ましい。これによって、前側の第２の圧搾溝１２では座位姿勢など脚が前側に移動したときの脚圧によるヨレが防止でき、後側の第２の圧搾溝１２では臀部の動きなどによるヨレが防止できるようになる。
【００５３】
また、図９(B)に示されるように、前記非圧搾部１１が長手方向中央部で幅方向外側に膨出するように前記圧搾溝１０を形成した場合、前記第２の圧搾溝１２は、前記非圧搾部１１が幅方向外側に膨出する長手範囲より長手方向外側であって、前記圧搾溝１０より幅方向外側に形成するのが好ましい。前記非圧搾部１１が長手方向中央部で幅方向外側に膨出して配置されることにより、長手方向中央部の脚圧に対する抵抗力を上げることができる。更に、これより長手方向の外側に前記第２の圧搾溝１２を配置することにより、この領域が補強されてヨレが防止できるようになる。
【００５４】
また、図９(C)に示されるように、非圧搾部１１が長手方向中央部で幅方向内側に膨出するように前記圧搾溝１０を形成した場合、前記第２の圧搾溝１２は、前記非圧搾部１１が幅方向内側に膨出する長手方向中央部であって、前記圧搾溝１０より幅方向外側に形成するのが好ましい。前記非圧搾部１１が長手方向中央部で幅方向内側に膨出することにより、この領域の装着時の違和感が軽減できる。また、前記第２の圧搾溝１２により、脚圧に対する抵抗力が上がり、ヨレが防止できるようになる。
【００５５】
更に、図９(D)に示されるように、前記非圧搾部１１が全長に亘って幅方向内側に膨出するように前記圧搾溝１０を形成した場合、前記第２の圧搾溝１２は、前記圧搾溝１０より幅方向外側の長手方向中央部に形成するのが好ましい。このような前記圧搾溝１０の配置によって、装着時の違和感が軽減できる。前記第２の圧搾溝１２の配置によって、脚圧に対する抵抗力が上がり、ヨレが防止できる。
【符号の説明】
【００５６】
１…生理用ナプキン、２…不透液性裏面シート、３…透液性表面シート、４…吸収体、５…被包シート、１０…圧搾溝、１１…非圧搾部、１２…第２の圧搾溝
【図１】
0006754588.tif 000002
【図２】
0006754588.tif 000003
【図３】
0006754588.tif 000004
【図４】
0006754588.tif 000005
【図５】
0006754588.tif 000006
【図６】
0006754588.tif 000007
【図７】
0006754588.tif 000008
【図８】
0006754588.tif 000009
【図９】
0006754588.tif 000010